(57)【要約】      （修正有）【課題】支持体に天板を載せることで、人が臥位で乗ることが可能なベッドにおいて、簡単に組み立て可能で、強度の担保が可能となり得るベッドを提供する。【解決手段】このベッドでは、天板１０および支持体を構成する第１板２０ａ１、２０ａ２、および、第２板２０ｂ１、２０ｂ２、２０ｂ３、２０ｂ４が、紙製ハニカム成形体の板で構成され、互いの切込み部にて係合される。天板１０が支持体に載せられる際、第１板および第２板は、長軸Ａの方向、および、短軸Ｂの方向に沿って、天板１０の裏面と当接する。これらの構成要素は軽量であるため、持ち運び等の作業も含め、手作業で簡単に組み立てることが可能となる。加えて、ハニカム成形体で構成されるため、強度の担保も可能となり得る。【選択図】図４
0003230707.tif 000002
【実用新案登録請求の範囲】
【請求項１】
支持体に天板の裏面が当接するように前記天板を載せることで、前記支持体にて前記天板が前記裏面から支えられて、前記天板の表面に人が臥位で乗ることが可能に構成されたベッドにおいて、
前記天板は、
紙製ハニカム成形体の板で構成されるとともに、前記臥位に対応する長軸および前記長軸と直交する短軸が規定される形状にて構成され、
前記支持体は、
紙製ハニカム成形体の板で構成されるとともに、前記長軸の方向および前記短軸の方向に沿って前記天板の前記裏面と当接する形状にて構成されたベッド。
【請求項２】
請求項１に記載のベッドにおいて、
前記支持体は、
前記長軸の方向に沿って、前記天板の前記裏面を当接支持する第１板、および、
前記短軸の方向に沿って、前記天板の前記裏面を当接支持する第２板、
の２通りの板にて構成されたベッド。
【請求項３】
請求項２に記載のベッドにおいて、
前記支持体は、
前記第１板および前記第２板が、それぞれ切込み部を備え、互いの前記切込み部にて係合されることで自立可能に構成されたベッド。
【請求項４】
請求項３に記載のベッドにおいて、
前記天板は、
長方形状に構成され、
前記支持体の前記第１板は、
長方形状に構成されるとともに、前記長軸の方向に沿って、一方の長辺部にて前記天板の前記裏面を当接支持するように構成され、
前記支持体の前記第２板は、
長方形状に構成されるとともに、前記短軸の方向に沿って、一方の長辺部にて前記天板の前記裏面を当接支持するように構成され、
前記第１板および前記第２板の前記切込み部は、
前記第１板の長辺および前記第２板の長辺においてそれぞれ備えられ、前記第１板および前記第２板が、互いに直交して前記係合されるように構成されたベッド。
【請求項５】
請求項４に記載のベッドにおいて、
前記支持体の前記第２板は、
複数枚で構成されるとともに、前記切込み部がそれぞれの前記第２板の長辺において備えられるように構成され、
前記支持体の前記第１板は、
前記第２板の枚数に応じて前記切込み部が前記第１板の長辺において複数個備えられ、前記第１板および前記複数枚の前記第２板が、互いの前記切込み部にてそれぞれ係合されるように構成されたベッド。
【請求項６】
請求項５に記載のベッドにおいて、
前記支持体の前記第２板は、
４枚で構成されるとともに、前記切込み部がそれぞれの前記第２板の長辺において備えられるように構成され、
前記支持体の前記第１板は、
４個の前記切込み部が前記第１板の長辺において等間隔に備えられ、前記第１板および前記４枚の前記第２板が、互いの前記切込み部にてそれぞれ係合されるように構成されたベッド。
【請求項７】
請求項６に記載のベッドにおいて、
前記支持体の前記第１板は、
複数枚で構成されるとともに、前記４個の前記切込み部がそれぞれの前記第１板の長辺において等間隔に備えられるように構成され、
前記支持体の前記第２板は、
前記４枚で構成されるとともに、前記第１板の枚数に応じて前記切込み部がそれぞれの前記第２板の長辺において複数個備えられ、前記複数枚の前記第１板および前記４枚の前記第２板が、互いの前記切込み部にてそれぞれ係合されるように構成されたベッド。
【請求項８】
請求項７に記載のベッドにおいて、
前記支持体の前記第１板は、
２枚で構成されるとともに、前記４個の前記切込み部がそれぞれの前記第１板の長辺において等間隔に備えられるように構成され、
前記支持体の前記第２板は、
前記４枚で構成されるとともに、２個の前記切込み部がそれぞれの前記第２板の長辺において備えられ、前記２枚の前記第１板および前記４枚の前記第２板が、互いの前記切込み部にてそれぞれ係合されるように構成されたベッド。
【考案の詳細な説明】
【技術分野】
【０００１】
本考案は、支持体と天板の裏面とが当接するように、支持体に天板を載せることで、支持体にて天板が裏面から支えられて、天板の表面に人が臥位で乗ることが可能に構成されたベッドに関する。
【背景技術】
【０００２】
災害時の長期避難において、避難者の負担を軽減する目的等で、組み立て式のベッドが用いられる場合が多い。この種のベッドにおいては、ベッド接地面と天板との間に、支持体を介在させるものが知られている。この構成は、使用者が臥位をとることを可能とする天板が、冷えることを抑制する等の観点に基づく。例えば、下記特許文献のベッドでは、支持体として、複数の箱体をスリーブでまとめて固定したものが用いられる。このベッドは、複数の箱体と天板の裏面とが当接するように、複数の箱体に天板が載せられて、天板の表面に人が臥位で乗ることが可能に構成されている。これにより、天板が冷えることが抑制され得、更なる避難者の負担軽減が期待できる。
【先行技術文献】
【特許文献】
【０００３】
【特許文献１】特開２０１８−１１０７６３号公報
【考案の概要】
【０００４】
一方で、この種のベッドにおいては、迅速な設置が要求される場合が多く、簡単に組み立て可能なものが要望されている。加え、使用期間の長期化や使用者の多様性にも対応すべく、強度の担保も必要となる。上記特許文献に記載のベッドにおいては、支持体としての箱体の調達や組み立て等に労力を要し、上記要望に対応することが困難であった。
【０００５】
本考案の目的は、支持体と天板の裏面とが当接するように支持体に天板を載せることで、支持体にて天板が裏面から支えられて、天板の表面に人が臥位で乗ることが可能に構成されたベッドにおいて、簡単に組み立て可能で、強度の担保が可能となり得るものを提供することにある。
【０００６】
本考案によるベッドは、支持体に天板の裏面が当接するように支持体に天板を載せることで、支持体にて天板が裏面から支えられて、天板の表面に人が臥位で乗ることが可能に構成される。
【０００７】
本考案によるベッドの特徴は、天板が、紙製ハニカム成形体の板で構成されるとともに、臥位に対応する長軸および長軸と直交する短軸が規定される形状にて構成され、支持体が、紙製ハニカム成形体の板で構成されるとともに、長軸の方向および短軸の方向に沿って天板の裏面を当接支持する形状にて構成されたことにある。
【０００８】
これによれば、天板および支持体は軽量であり、持ち運び等の作業も含め、手作業で簡単に組み立てることが可能となる。また、天板および支持体を構成する板が、ハニカム成形体であることに加え、支持体が、天板の長軸および短軸の方向に沿って天板の裏面を当接支持するため、強度の担保も可能となり得る。
【０００９】
上記考案に係るベッドにおいては、支持体が、長軸の方向に沿って天板の裏面を当接支持する第１板、および、短軸の方向に沿って、天板の裏面を当接支持する第２板、の２通りの板にて構成されてもよい。
【００１０】
上記考案に係るベッドにおいては、支持体が、第１板および第２板がそれぞれ切込み部を備え、互いの切込み部にて係合されることで自立可能に構成されてもよい。
【００１１】
上記考案に係るベッドにおいては、天板が、長方形状に構成され、支持体の第１板が、長方形状に構成されるとともに、長軸の方向に沿って一方の長辺部にて天板の裏面を当接支持するように構成され、支持体の第２板が、長方形状に構成されるとともに、短軸の方向に沿って一方の長辺部にて天板の裏面を当接支持するように構成され、第１板および第２板の切込み部が、第１板の長辺および第２板の長辺においてそれぞれ備えられ、第１板および第２板が互いに直交して係合されるように構成されてもよい。
【００１２】
上記考案に係るベッドにおいては、支持体の第２板が、複数枚で構成されるとともに、切込み部がそれぞれの第２板の長辺において備えられるように構成され、支持体の第１板が、第２板の枚数に応じて切込み部が第１板の長辺において複数個備えられ、第１板および複数枚の第２板が、互いの切込み部にてそれぞれ係合されるように構成されてもよい。
【００１３】
上記考案に係るベッドにおいては、支持体の第２板が、４枚で構成されるとともに、切込み部がそれぞれの第２板の長辺において備えられるように構成され、支持体の第１板が、４個の切込み部が第１板の長辺において等間隔に備えられ、第１板および４枚の第２板が、互いの切込み部にてそれぞれ係合されるように構成されてもよい。
【００１４】
上記考案に係るベッドにおいては、支持体の第１板が、複数枚で構成されるとともに、４個の切込み部がそれぞれの第１板の長辺において等間隔に備えられるように構成され、支持体の第２板が、４枚で構成されるとともに、第１板の枚数に応じて切込み部がそれぞれの第２板の長辺において複数個備えられ、複数枚の第１板および４枚の第２板が、互いの切込み部にてそれぞれ係合されるように構成されてもよい。
【００１５】
上記考案に係るベッドにおいては、支持体の第１板が、２枚で構成されるとともに、４個の切込み部がそれぞれの第１板の長辺において等間隔に備えられるように構成され、支持体の第２板が、４枚で構成されるとともに、２個の切込み部がそれぞれの第２板の長辺において備えられ、２枚の第１板および４枚の第２板が、互いの切込み部にてそれぞれ係合されるように構成されてもよい。
【図面の簡単な説明】
【００１６】
【図１】本考案の実施形態に係るベッドの全体概要を説明するための図である。
【図２】図１に示したベッドの底面図である。
【図３】図１に示したベッドにおける天板、第１板、および、第２板を構成するハニカム成形体を説明するための図である。
【図４】図１に示したベッドにおける支持体の詳細を説明するための図である。
【考案を実施するための形態】
【００１７】
以下、本考案によるベッドの実施形態について図面を参照しつつ説明する。
【００１８】
図１は、本考案の実施形態に係るベッド１００の全体概要を説明するための図である。ベッド１００は、天板１０と、支持体２０とを備えている。天板１０は、支持体２０に載せるようになっている。天板１０が支持体２０に載せられた状態においては、支持体２０と天板１０の裏面１１とが当接し、支持体２０にて天板１０が裏面１１から支えられるようになっている。このように構成されるベッド１００は、天板１０の表面１２に、人が臥位で乗ることが可能になっている。
【００１９】
図２は、本考案の実施形態に係るベッド１００の底面図である。天板１０は、所定の厚みを持つ長方形状の板で、構成されている。天板１０では、人が臥位にて乗った状態に対応する長軸Ａと、長軸Ａと直交する短軸Ｂとが規定される。また、長軸Ａの方向に沿った長辺１３、および、短軸Ｂの方向に沿った短辺１４も、規定される。
【００２０】
支持体２０は、第１板２０ａおよび第２板２０ｂの２通りの板で構成されている。第１板２０ａは、所定の厚みを持つ長方形状の板で、構成されている。第１板２０ａの長辺２１ａは、天板１０の長辺１３と同じ長さを有している。第１板２０ａは、長軸Ａの方向に沿って、第１板２０ａの一方の長辺部にて、天板１０の裏面１１と当接するようになっている。第２板２０ｂは、所定の厚みを持つ長方形状の板で、構成されている。第２板２０ｂの長辺２１ｂは、天板１０の短辺１４と同じ長さを有している。第２板２０ｂは、短軸Ｂの方向に沿って、第２板２０ｂの一方の長辺部にて、天板１０の裏面１１と当接するようになっている。
【００２１】
天板１０、第１板２０ａおよび第２板２０ｂのサイズ・枚数は、用途や使用人数に応じてそれぞれ調整されると好適である。本実施形態のベッド１００においては、１枚の天板１０に対して、２枚の第１板２０ａおよび４枚の第２板２０ｂが用いられるようになっている。
【００２２】
例えば、天板１０の長辺１３は、人が臥位にて乗った状態に対応できるよう、１，９６０ｍｍとなるように構成される。また、天板１０の短辺１４は、１人で使用する場合には、９５０ｍｍとなるように構成され、複数人で使用する場合には、より長い辺となるように構成されると好適である。例えば、２人で使用する場合、天板１０の長辺１３は１，９６０ｍｍのままで、天板１０の短辺１４が、１，９００ｍｍとなるように構成されてもよい。また、天板１０の厚みは、４０ｍｍとなるように構成されてもよい。
【００２３】
第１板２０ａの長辺２１ａおよび短辺は、それぞれ、例えば、１，９６０ｍｍおよび３６０ｍｍとなるように構成されてもよい。第１板２０ａの枚数は、１枚であっても、複数枚であってもよい。例えば、１人で使用する場合には、１枚の第１板２０ａが使用され、第１板２０ａが、天板１０の長軸Ａに沿って配設されるようにしてもよい。２人で使用する場合には、２枚の第１板２０ａが使用されてもよい。この場合、それぞれの第１板２０ａが、天板１０の長軸Ａの方向に沿うとともに、長軸Ａを挟むよう互いに平行となるように配設されるようにしてもよい。また、第１板２０ａの厚みは、４０ｍｍとなるように構成されてもよい。
【００２４】
第２板２０ｂの長辺２１ｂおよび短辺は、それぞれ、例えば、１人で使用する場合には、９５０ｍｍおよび３６０ｍｍとなるように構成されてもよい。第２板２０ｂの枚数は、１枚、２枚、３枚、または、４枚であればよく、強度担保の観点から、４枚であると好適である。この場合、それぞれの第２板２０ｂは、天板１０の短軸Ｂの方向に沿うとともに、短軸Ｂを中心として対称となるよう等間隔に、かつ、互いに平行となるように配設されるようにしてもよい。また、２人で使用する場合には、第２板２０ｂの長辺２１ｂおよび短辺が、それぞれ１，９００ｍｍおよび３６０ｍｍとなるように構成されてもよい。また、第２板２０ｂの厚みは、４０ｍｍとなるように構成されてもよい。
【００２５】
図３は、本考案の実施形態に係るベッド１００における天板１０、第１板２０ａ、および、第２板２０ｂを構成するハニカム成形体を説明するための図である。天板１０、第１板２０ａ、および、第２板２０ｂは、紙製ハニカム成形体で構成されている。ここにおいて、紙製ハニカム成形体としては、２枚の紙製の平板部Ｃと、紙製のハニカム部Ｄとが備えられている。ハニカム部Ｄは、２枚の平板部Ｃが互いに平行となるよう、２枚の平板部Ｃと接着されて、その間に介装される。ハニカム部Ｄは、例えば、４角形、６角形等の多角形状の筒が、縦横方向に規則的な行列をなすよう構成される。
【００２６】
上述の紙製ハニカム成形体から、天板１０、第１板２０ａ、および、第２板２０ｂに対応する形状が切り出され、天板１０、第１板２０ａ、および、第２板２０ｂがそれぞれ作成される。２枚の平板部Ｃは、天板１０の裏面１１および表面１２を構成する。また、２枚の平板部Ｃは、第１板２０ａおよび第２板２０ｂの側面を構成する。このように、天板１０、第１板２０ａ、および、第２板２０ｂに、紙素材が利用されることに加え、ハニカム成形体の中空部分が多いことにより、軽量で強度の担保が可能な板が実現される。
【００２７】
図４は、本考案の実施形態に係るベッド１００における支持体２０の詳細を説明するための図である。支持体２０は、２枚の第１板２０ａ１、２０ａ２、および、４枚の第２板２０ｂ１、２０ｂ２、２０ｂ３、２０ｂ４で構成されている。これらは、それぞれ所定の切込み部を備えており、互いの切込み部にて係合されることで、支持体２０として自立可能に構成されている。
【００２８】
第１板２０ａ１は、その長辺２１ａ１において４個の切込み部２２ａ１、２３ａ１、２４ａ１、２５ａ１を備えている。これらは、長辺２１ａ１にて開口端を有する細長形状となっている。切込み部２２ａ１、２３ａ１、２４ａ１、２５ａ１は、第１板２０ａ１の短辺と平行となるように、かつ、長辺２１ａ１において等間隔に備えられている。
【００２９】
第１板２０ａ２は、その長辺２１ａ２において４個の切込み部２２ａ２、２３ａ２、２４ａ２、２５ａ２を備えている。これらは、長辺２１ａ２にて開口端を有する細長形状となっている。切込み部２２ａ２、２３ａ２、２４ａ２、２５ａ２は、第１板２０ａ２の短辺と平行となるように、かつ、長辺２１ａ２において等間隔に備えられている。
【００３０】
切込み部２２ａ１、２３ａ１、２４ａ１、２５ａ１、および、切込み部２２ａ２、２３ａ２、２４ａ２、２５ａ２は、それらの幅は同一で、第２板２０ｂが係合される際、第２板２０ｂの厚みに対し若干の余裕をもつよう構成されている。
【００３１】
第２板２０ｂ１は、その長辺２１ｂ１において２個の切込み部２２ｂ１、２３ｂ１を備えている。これらは、長辺２１ｂ１にて開口端を有する細長形状となっている。切込み部２２ｂ１、２３ｂ１は、第２板２０ｂ１の短辺と平行となるように備えられている。
【００３２】
第２板２０ｂ２は、その長辺２１ｂ２において２個の切込み部２２ｂ２、２３ｂ２を備えている。これらは、長辺２１ｂ２にて開口端を有する細長形状となっている。切込み部２２ｂ２、２３ｂ２は、第２板２０ｂ２の短辺と平行となるように備えられている。
【００３３】
第２板２０ｂ３は、その長辺２１ｂ３において２個の切込み部２２ｂ３、２３ｂ３を備えている。これらは、長辺２１ｂ３にて開口端を有する細長形状となっている。切込み部２２ｂ３、２３ｂ３は、第２板２０ｂ３の短辺と平行となるように備えられている。
【００３４】
第２板２０ｂ４は、その長辺２１ｂ４において２個の切込み部２２ｂ４、２３ｂ４を備えている。これらは、長辺２１ｂ４にて開口端を有する細長形状となっている。切込み部２２ｂ４、２３ｂ４は、第２板２０ｂ４の短辺と平行となるように備えられている。
【００３５】
切込み部２２ｂ１、２３ｂ１、切込み部２２ｂ２、２３ｂ２、切込み部２２ｂ３、２３ｂ３、および、切込み部２２ｂ４、２３ｂ４は、それらの幅は同一で、第１板２０ａが係合される際、第１板２０ａの厚みに対し若干の余裕をもつよう構成されている。
【００３６】
このように、第１板２０ａ１、２０ａ２における切込み部の個数（４個）は、第２板２０ｂの枚数（４枚）にそれぞれ対応している。また、第２板２０ｂ１、２０ｂ２、２０ｂ３、２０ｂ４における切込み部の個数（２個）は、第１板２０ａの枚数（２枚）にそれぞれ対応している。なお、支持体２０は、第１板２０ａの枚数が１枚である場合には、第２板２０ｂにおける切込み部の個数は１個となるよう構成される。第２板２０ｂの枚数が３枚、２枚、または、１枚である場合には、第１板２０ａにおける切込み部の個数は、３個数、２個、または、１個となるよう構成される。
【００３７】
２枚の第１板２０ａ１、２０ａ２、および、４枚の第２板２０ｂ１、２０ｂ２、２０ｂ３、２０ｂ４は、互いの切込み部にてそれぞれ係合される。各板の係合に際しては、各切込み部の互いの開口端を合わせ、各板を近づくように相対移動させる。これにより、支持体２０が、容易に組み立てられ得る。各切込み部の対応関係は、以下のようになっている。
【００３８】
第１板２０ａ１における切込み部２２ａ１、２３ａ１、２４ａ１、２５ａ１には、第２板２０ｂ１における切込み部２２ｂ１、第２板２０ｂ２における切込み部２２ｂ２、第２板２０ｂ３における切込み部２２ｂ３、第２板２０ｂ４における切込み部２２ｂ４が、それぞれ対応している。
【００３９】
第１板２０ａ２における切込み部２２ａ２、２３ａ２、２４ａ２、２５ａ２には、第２板２０ｂ１における切込み部２３ｂ１、第２板２０ｂ２における切込み部２３ｂ２、第２板２０ｂ３における切込み部２３ｂ３、第２板２０ｂ４における切込み部２３ｂ４が、それぞれ対応している。
【００４０】
このように各切込み部がそれぞれ対応することで、第１板２０ａ１、２０ａ２および第２板２０ｂ１、２０ｂ２、２０ｂ３、２０ｂ４が、互いに直交して係合される。そして、支持体２０の上に、天板１０が載せられるようになっている。このとき、第１板２０ａ１、２０ａ２は、天板１０の長軸Ａの方向に沿って、各長辺に対応する端部にて、天板１０の裏面１１と当接する。また、第２板２０ｂ１、２０ｂ２、２０ｂ３、２０ｂ４は、天板１０の短軸Ｂの方向に沿って、各長辺に対応する端部にて、天板１０の裏面１１と当接する。
【００４１】
以上、本考案によるベッドの実施形態によれば、天板１０および支持体２０は軽量であり、持ち運び等の作業も含め、手作業で簡単に組み立てることが可能となる。また、天板１０および支持体２０を構成する板が、ハニカム成形体であることに加え、支持体２０が、天板１０の長軸Ａおよび短軸Ｂの方向に沿って天板１０の裏面１１と当接するため、強度の担保も可能となり得る。
【００４２】
なお、本考案によるベッドにおける構成要素の形状、材料等は、実用新案登録請求の範囲のものであればよく、上記実施形態のものに限定されない。
【符号の説明】
【００４３】
１００…ベッド、１０…天板、１１…裏面、１２…表面、２０…支持体、２０ａ…第１板、２０ａ１…第１板、２１ａ１…長辺、２２ａ１…切込み部、２３ａ１…切込み部、２４ａ１…切込み部、２５ａ１…切込み部、２０ａ２…第１板、２１ａ２…長辺、２２ａ２…切込み部、２３ａ２…切込み部、２４ａ２…切込み部、２５ａ２…切込み部、２０ｂ…第２板、２０ｂ１…第２板、２１ｂ１…長辺、２２ｂ１…切込み部、２３ｂ１…切込み部、２０ｂ２…第２板、２１ｂ２…長辺、２２ｂ２…切込み部、２３ｂ２…切込み部、２０ｂ３…第２板、２１ｂ３…長辺、２２ｂ３…切込み部、２３ｂ３…切込み部、２０ｂ４…第２板、２１ｂ４…長辺、２２ｂ４…切込み部、２３ｂ４…切込み部、Ａ…長軸、Ｂ…短軸、Ｄ…ハニカム部
【図１】
0003230707.tif 000003
【図２】
0003230707.tif 000004
【図３】
0003230707.tif 000005
【図４】
0003230707.tif 000006